(57)【要約】【課題】冬時期にマウスを長時間に利用しても、ユーザの手が寒いと感じず、そしてマウスから加熱装置を取り外すと懐炉として利用できる保温機能付きマウスを提供する。【解決手段】コンピュータと通信的に連接してカーソルを制御し、少なくとも１つのケースを有し、ユーザの手が前記ケースを把持可能であるマウスと、前記マウスの前記ケースのユーザの手が握る部位の表面に設けられ、熱を発生する加熱装置と、を含む。【選択図】図３
2013015957.tif 000002
【特許請求の範囲】
【請求項１】
コンピュータと通信的に連接してカーソルを制御し、少なくとも１つのケースを有し、ユーザの手が前記ケースを把持可能であるマウスと、
前記マウスの前記ケースのユーザの手が握る部位の表面に設けられ、熱を発生する加熱装置と、
を含むことを特徴とする保温機能付きマウス。
【請求項２】
前記加熱装置は、前記マウスの前記ケースのユーザの手が握る部位の表面に脱着可能に設けられることを特徴とする、請求項１に記載の保温機能付きマウス。
【請求項３】
前記加熱装置はハウジングを有し、前記ハウジングの底部は、前記マウスの前記ケースのユーザの手が握る部位の表面に係合され、前記ハウジングの上面には、熱を発生する加熱片が設けられることを特徴とする、請求項２に記載の保温機能付きマウス。
【請求項４】
前記加熱装置の前記ハウジングの内部に制御回路板が設けられ、前記制御回路板に電池が設けられ、前記ハウジングの外部には、前記制御回路板に延びる導電接触片が設けられ、前記導電接触片は、前記マウスの前記ケースに設けられる弾性導電片に対応し、前記弾性導電片と接触すると前記電池を充電できることを特徴とする、請求項３に記載の保温機能付きマウス。
【請求項５】
前記マウスの前端に挿入穴が設けられ、前記挿入穴にリードの一端にあるコネクタを挿入して連接可能であり、前記リードの他端にＵＳＢプラグが設けられ、前記ＵＳＢプラグは、コンピュータのＵＳＢ差込口に挿入して信号を交信して電力を受け、又は市電と電気的に接続するアダプターに挿入して電力を受けることができることを特徴とする、請求項４に記載の保温機能付きマウス。
【請求項６】
前記加熱装置の前記制御回路板に指示ランプが設けられ、前記電池の充電が終了したと前記指示ランプが点灯して、前記指示ランプの光線が前記ハウジングを透過して外部に射出し、前記ハウジングに充電スイッチが設けられ、前記充電スイッチにより前記電池の充電を制御できることを特徴とする、請求項４に記載の保温機能付きマウス。
【請求項７】
前記加熱装置の前記ハウジングに温度スイッチが設けられ、前記温度スイッチにより前記加熱片の温度を制御できることを特徴とする、請求項４に記載の保温機能付きマウス。
【請求項８】
前記加熱装置は、前記マウスの前記ケースの上面に設けられる加熱片と、前記マウスの前記ケースの内部に設けられる制御回路板とを有し、前記制御回路板に電池が設けられ、前記マウスの受ける電力により前記電池を充電できることを特徴とする、請求項１に記載の保温機能付きマウス。
【請求項９】
前記マウスの前端に挿入穴が設けられ、前記挿入穴にリードの一端にあるコネクタを挿入して連接可能であり、前記リードの他端にＵＳＢプラグが設けられ、前記ＵＳＢプラグは、コンピュータのＵＳＢ差込口に挿入して信号を交信して電力を受け、又は市電と電気的に接続するアダプターに挿入して電力を受けることができることを特徴とする、請求項８に記載の保温機能付きマウス。
【発明の詳細な説明】
【技術分野】
【０００１】
本発明は、コンピュータに適用されるマウスに関し、特に、保温機能付きマウスに関するものである。
【背景技術】
【０００２】
コンピュータを利用するときには、マウスによってコンピュータを操作することが一般的である。マウスは、ユーザの手で操作できるため、その他の制御装置よりも操作が便利である。
【０００３】
しかし、マウスを利用するときには、ユーザの手が外部に露出するため、冬時期になると、ユーザの手が寒いと感じ易い。特に、図面などを描くために、マウスを長時間に利用することが必要であり、又は室外にネットサーフィンする原因でマウスを長時間に利用することが必要である場合には、ユーザの手が凍傷する可能性がある。
【発明の概要】
【発明が解決しようとする課題】
【０００４】
本発明の主な目的は、冬時期にマウスを長時間に利用しても、ユーザの手が寒いと感じず、そしてマウスから加熱装置を取り外すと懐炉として利用できる保温機能付きマウスを提供することにある。
【課題を解決するための手段】
【０００５】
本発明の保温機能付きマウスによると、コンピュータと通信的に連接してカーソルを制御し、少なくとも１つのケースを有し、ユーザの手が前記ケースを把持可能であるマウスと、
前記マウスの前記ケースのユーザの手が握る部位の表面に設けられ、熱を発生する加熱装置と、
を含むことを特徴とする。
【０００６】
本発明の保温機能付きマウスによると、前記加熱装置は、前記マウスの前記ケースのユーザの手が握る部位の表面に脱着可能に設けられることを特徴とする。
【０００７】
本発明の保温機能付きマウスによると、前記加熱装置はハウジングを有し、前記ハウジングの底部は、前記マウスの前記ケースのユーザの手が握る部位の表面に係合され、前記ハウジングの上面には、熱を発生する加熱片が設けられることを特徴とする。
【０００８】
本発明の保温機能付きマウスによると、前記加熱装置の前記ハウジングの内部に制御回路板が設けられ、前記制御回路板に電池が設けられ、前記ハウジングの外部には、前記制御回路板に延びる導電接触片が設けられ、前記導電接触片は、前記マウスの前記ケースに設けられる弾性導電片に対応し、前記弾性導電片と接触すると前記電池を充電できることを特徴とする。
【０００９】
本発明の保温機能付きマウスによると、前記マウスの前端に挿入穴が設けられ、前記挿入穴にリードの一端にあるコネクタを挿入して連接可能であり、前記リードの他端にＵＳＢプラグが設けられ、前記ＵＳＢプラグは、コンピュータのＵＳＢ差込口に挿入して信号を交信して電力を受け、又は市電と電気的に接続するアダプターに挿入して電力を受けることができることを特徴とする。
【００１０】
本発明の保温機能付きマウスによると、前記加熱装置の前記制御回路板に指示ランプが設けられ、前記電池の充電が終了したと前記指示ランプが点灯して、前記指示ランプの光線が前記ハウジングを透過して外部に射出し、前記ハウジングに充電スイッチが設けられ、前記充電スイッチにより前記電池の充電を制御できることを特徴とする。
【００１１】
本発明の保温機能付きマウスによると、前記加熱装置の前記ハウジングに温度スイッチが設けられ、前記温度スイッチにより前記加熱片の温度を制御できることを特徴とする。
【００１２】
本発明の保温機能付きマウスによると、前記加熱装置は、前記マウスの前記ケースの上面に設けられる加熱片と、前記マウスの前記ケースの内部に設けられる制御回路板と、を有し、前記制御回路板に電池が設けられ、前記マウスの受ける電力により前記電池を充電できることを特徴とする。
【００１３】
本発明の保温機能付きマウスによると、前記マウスの前端に挿入穴が設けられ、前記挿入穴にリードの一端にあるコネクタを挿入して連接可能であり、前記リードの他端にＵＳＢプラグが設けられ、前記ＵＳＢプラグは、コンピュータのＵＳＢ差込口に挿入して信号を交信して電力を受け、又は市電と電気的に接続するアダプターに挿入して電力を受けることができることを特徴とする。
【発明の効果】
【００１４】
本発明の保温機能付きマウスによれば、冬時期にマウスを長時間利用しても、ユーザの手が寒いと感じず、そしてマウスから加熱装置を取り外すと懐炉として利用できるという効果を有する。
【図面の簡単な説明】
【００１５】
【図１】本発明の第１実施例を示す分解斜視図である。
【図２】本発明の第１実施例の組立後の状態を示す斜視図である。
【図３】本発明の第１実施例の組立後の状態を示す断面図である。
【図４】本発明の第２実施例の組立後の状態を示す斜視図である。
【図５】本発明の第２実施例の組立後の状態を示す断面図である。
【発明を実施するための形態】
【００１６】
以下、本発明の実施の形態を図面に基づいて説明する。
（第１実施例）
まず、図１乃至図３を参照する。本実施例の保温機能付きマウスは、マウス１１と、加熱装置１２と、から構成される。加熱装置１２はマウス１１に脱着可能に設けられる。
【００１７】
マウス１１の前端に挿入穴１１１が設けられる。挿入穴１１１にリード１３の一端にあるコネクタ１３１を挿入して連接可能である。リード１３の他端にＵＳＢプラグ１３２が設けられる。ＵＳＢプラグ１３２は、コンピュータのＵＳＢ差込口（図示せず）に挿入して信号を交信して電力を受け、又は市電と電気的に接続するアダプター１４に挿入して電力を受けることができる。コンピュータにＵＳＢプラグ１３２を挿入すると、マウス１１によりカーソルを制御できる。マウス１１はユーザの手が把持可能なケース１１２を有する。ケース１１２の内部に回路板が設けられる。
【００１８】
加熱装置１２はハウジング１２１を有する。ハウジング１２１の底部は、マウス１１のケース１１２のユーザの手が握る部位の表面に係合される。例えばハウジング１２１の底面に凹部１２２が形成され、ケース１１２には、凹部１２２に対応するフック１１４が設けられる。凹部１２２とフック１１４は互いに係合可能である。
【００１９】
加熱装置１２のハウジング１２１の上面には、図３に示すように、熱を発生する加熱片１２３が設けられる。ハウジング１２１の内部に制御回路板１２４が設けられ、制御回路板１２４に電池１２５が設けられる。一方、ハウジング１２１の外部には、制御回路板１２４に延びる導電接触片１２６が設けられる。導電接触片１２６は、マウス１１のケース１１２に設けられる弾性導電片１１５に対応する。
【００２０】
また、加熱装置１２の制御回路板１２４に指示ランプ１２７（例えば発光ダイオード）が設けられ、電池１２５の充電が終了したと指示ランプ１２７が点灯して、指示ランプ１２７の光線がハウジング１２１を透過して外部に射出する。ハウジング１２１に充電スイッチ１２８が設けられる。充電スイッチ１２８は指示ランプ１２７に近接することが好ましい。充電スイッチ１２８により電池１２５の充電を制御できる。例えば電池１２５の充電が終了して指示ランプ１２７が点灯したと、充電スイッチ１２８をオフすることにより、充電回路を開回路にすることができる。また、加熱装置１２のハウジング１２１に温度スイッチ１２９が設けられる。温度スイッチ１２９により加熱片１２３の温度を制御できる。例えば温度スイッチ１２９により、加熱片１２３の温度を２５℃、４５℃にし、又は加熱片１２３の電源をオフすることができる。
【００２１】
本発明の保温機能付きマウスの加熱装置１２は、熱を発生してユーザの手を暖かくする他、マウス１１から取り外して懐炉として利用することもできる。例えば冬時期に外出したいときには、マウス１１から加熱装置１２を取り外して懐炉として利用することができる。
【００２２】
ＵＳＢプラグ１３２は、コンピュータのＵＳＢ差込口に挿入して信号を交信して電力を受けて電池１２５を充電し、又は市電と電気的に接続するアダプター１４に挿入して電力を受けて電池１２５を充電することができるため、加熱装置１２の充電は極めて便利である。
【００２３】
（第２実施例）
図４及び図５を参照する。本実施例の保温機能付きマウスは、マウス２１と、加熱装置と、から構成される。前記加熱装置はマウス２１に組み付けられる。
【００２４】
マウス２１の前端に挿入穴２１１が設けられる。挿入穴２１１にリード１３の一端にあるコネクタ１３１を挿入して連接可能である。マウス２１はユーザの手が把持可能なケース２１２を有する。図５に示すように、ケース２１２の内部に回路板２１３が設けられる。前記加熱装置は、マウス２１のケース２１２の上面に設けられる加熱片２２１と、マウス２１のケース２１２の内部に設けられる制御回路板２２２と、を有する。制御回路板２２２に電池２２３が設けられる。マウス２１の受ける電力により電池２２３を充電できる。加熱片２２１は、マウス２１のケース２１２のユーザの手が握る部位に設けられ、熱を発生する。
【００２５】
本実施例では、前記加熱装置は、マウス２１のケース２１２のユーザの手が握る部位に設けられ、熱を発生するため、ユーザの手を暖かくすることができる。もちろん、リード１３からマウス２１を分離して懐炉として利用することもできる。
【産業上の利用可能性】
【００２６】
本発明は、マウスに適用することができる。
【符号の説明】
【００２７】
１１：マウス
１２：加熱装置
１３：リード
１４：アダプター
２１：マウス
１１１：挿入穴
１１２：ケース
１１４：フック
１１５：弾性導電片
１２１：ハウジング
１２２：凹部
１２３：加熱片
１２４：制御回路板
１２５：電池
１２６：導電接触片
１２７：指示ランプ
１２８：充電スイッチ
１２９：温度スイッチ
１３１：コネクタ
１３２：ＵＳＢプラグ
２１１：挿入穴
２１２：ケース
２１３：回路板
２２１：加熱片
２２２：制御回路板
２２３：電池
【図１】
2013015957.tif 000003
【図２】
2013015957.tif 000004
【図３】
2013015957.tif 000005
【図４】
2013015957.tif 000006
【図５】
2013015957.tif 000007